(57)【要約】【課題】撮影された画像がどのような設定で撮影されたのかをユーザが容易に確認することができる撮像装置を提供する。【解決手段】簡単モードで撮影する際、撮影時の状況として予め定められた複数の状況設定項目の中から１つの状況設定項目を選択し（Ｓ２０２）、撮影する画像の雰囲気として予め定められた複数の雰囲気設定項目を選択し（Ｓ２０５）、撮影された画像の画像データを画像の撮影に対して設定された１つの状況設定項目及び１つの雰囲気設定項目と共に記憶する（Ｓ６０４）。記憶した画像を表示する際（Ｓ７０２）、画像が簡単モードで撮影されている場合に、Ｓ６０４で画像と共に記憶した１つの状況設定項目及び１つの雰囲気設定項目を表示する（Ｓ７０４）。【選択図】図４
2012029055.tif 000002
【特許請求の範囲】
【請求項１】
撮像手段と、
少なくとも第１の撮影モードと第２の撮影モードとの間で撮影モードを切り替える切替手段と、
前記第１の撮影モードでの撮影時の状況として予め定められた複数の状況設定項目のそれぞれに対してホワイトバランスを所定の値で設定するための第１の設定手段と、
前記第１の撮影モードで撮影する画像の雰囲気として予め定められた複数の雰囲気設定項目のそれぞれに対して複数の画像処理パラメータを所定の組み合わせで且つ所定の値で設定するための第２の設定手段と、
前記第１の撮影モードで撮影を行う際に、前記複数の雰囲気設定項目及び前記複数の状況設定項目の中からそれぞれ１つの雰囲気設定項目及び１つの状況設定項目を選択する選択手段と、
前記第１の撮影モードで撮影された画像の画像データを、前記画像の撮影に対して設定された前記１つの状況設定項目及び前記画像の画像処理条件として設定された前記１つの雰囲気設定項目と共に記憶する記憶手段と、
少なくとも前記記憶手段から読み出した画像を表示する表示手段と、
前記表示手段に表示する画像が前記第１の撮影モードで撮影された画像である場合に、前記画像の画像データと共に記憶されている前記１つの状況設定項目及び前記１つの雰囲気設定項目を、前記画像と共に前記表示手段に表示する制御手段と、を備えることを特徴とする撮像装置。
【請求項２】
前記第２の撮影モードでの撮影時の状況に対してホワイトバランスを設定し、前記第２の撮影モードで撮影する画像の雰囲気に対して複数の画像処理パラメータを個々に所定の値に設定するための第３の設定手段を更に備え、
前記記憶手段は、前記第２の撮影モードで撮影された画像の画像データを、前記画像の撮影に対して設定されたホワイトバランス及び前記複数の画像処理パラメータに対して設定された所定の値と共に記憶し、
前記制御手段は、前記表示手段に表示する画像が前記第２の撮影モードで撮影された画像である場合に、前記画像の画像データと共に記憶されている前記ホワイトバランス及び前記所定の値を、前記画像と共に前記表示手段に表示することを特徴とする請求項１記載の撮像装置。
【請求項３】
撮像手段と、前記撮像手段により撮影された画像を記憶する記憶手段と、少なくとも前記記憶手段から読み出した画像を表示する表示手段と、を備える撮像装置の制御方法であって、
少なくとも第１の撮影モードと第２の撮影モードとの間で撮影モードを切り替える切替ステップと、
前記第１の撮影モードでの撮影を行う際に、前記第１の撮影モードでの撮影時の状況として予め定められた複数の状況設定項目及び前記第１の撮影モードで撮影する画像の雰囲気として予め定められた複数の雰囲気設定項目の中からそれぞれ１つの状況設定項目及び１つの雰囲気設定項目を選択する選択ステップと、
前記第１の撮影モードで撮影された画像の画像データを、前記画像の撮影に対して選択された前記１つの状況設定項目及び前記１つの雰囲気設定項目と共に前記記憶手段に記憶する記憶ステップと、
前記記憶手段から読み出した画像を前記表示手段に表示する表示ステップと、
前記表示手段に表示する画像が前記第１の撮影モードで撮影された画像である場合に、前記画像の画像データと共に記憶されている前記１つの状況設定項目及び前記１つの雰囲気設定項目を、前記画像と共に前記表示手段に表示する制御ステップと、を有し、
前記複数の状況設定項目のそれぞれに対してホワイトバランスが所定の値で予め設定されていると共に、前記複数の雰囲気設定項目のそれぞれに対して複数の画像処理パラメータが所定の組み合わせで且つ所定の値で予め設定されていることを特徴とする撮像装置の制御方法。
【請求項４】
撮像手段と、前記撮像手段により撮影された画像を記憶する記憶手段と、少なくとも前記記憶手段から読み出した画像を表示する表示手段と、を備える撮像装置の制御方法をコンピュータに実行させるためのプログラムであって、
前記制御方法は、
少なくとも第１の撮影モードと第２の撮影モードとの間で撮影モードを切り替える切替ステップと、
前記第１の撮影モードでの撮影を行う際に、前記第１の撮影モードでの撮影時の状況として予め定められた複数の状況設定項目及び前記第１の撮影モードで撮影する画像の雰囲気として予め定められた複数の雰囲気設定項目の中からそれぞれ１つの状況設定項目及び１つの雰囲気設定項目を選択する選択ステップと、
前記第１の撮影モードで撮影された画像の画像データを、前記画像の撮影に対して選択された前記１つの状況設定項目及び前記１つの雰囲気設定項目と共に前記記憶手段に記憶する記憶ステップと、
前記記憶手段から読み出した画像を前記表示手段に表示する表示ステップと、
前記表示手段に表示する画像が前記第１の撮影モードで撮影された画像である場合に、前記画像の画像データと共に記憶されている前記１つの状況設定項目及び前記１つの雰囲気設定項目を、前記画像と共に前記表示手段に表示する制御ステップと、を有し、
前記複数の状況設定項目のそれぞれに対してホワイトバランスが所定の値で予め設定されていると共に、前記複数の雰囲気設定項目のそれぞれに対して複数の画像処理パラメータが所定の組み合わせで且つ所定の値で予め設定されていることを特徴とするプログラム。
【請求項５】
請求項４記載のプログラムを格納したことを特徴とするコンピュータで読み取り可能な記憶媒体。
【発明の詳細な説明】
【技術分野】
【０００１】
本発明は、カメラ等の撮像装置等に関し、撮影した画像を表示する撮像装置及びその制御方法、当該制御方法の実行に用いられるプログラム並びに記憶媒体に関する。
【背景技術】
【０００２】
ユーザの設定に応じて或いはレベル（操作方法に対する熟知のレベル等）に応じて、難易度の異なるヘルプ情報を表示するカメラが知られている。例えば、カメラの設定又はカメラに接続された外部機器の種類に応じてユーザが上級者か初級者かを判定し、ユーザのレベルに応じたヘルプ表示を行う技術が提案されている（特許文献１参照）。また、現在の設定（撮影モード等を含む）に応じてユーザのレベルを判定し、レベル別に内容の難易度の異なるヘルプ情報を表示する技術が提案されている（特許文献２参照）。
【先行技術文献】
【特許文献】
【０００３】
【特許文献１】特開２００７−１４２８８４号公報
【特許文献２】特開２００１−２８２４０９号公報
【発明の概要】
【発明が解決しようとする課題】
【０００４】
しかしながら、特許文献１，２に開示された機器では、どのような設定で撮影したかがユーザにわかり難いという問題がある。すなわち、ユーザのレベルに応じて設定された機能、項目が異なった場合、設定された内容が反映された撮影画像を表示する際に、ユーザのレベルに応じてどのように画像情報を表示するかに関して、改善が望まれる。
【０００５】
本発明は、撮影された画像がどのような設定で撮影されたのかをユーザが容易に確認することができる撮像装置を提供することを目的とする。
【課題を解決するための手段】
【０００６】
本発明は、撮像手段と、少なくとも第１の撮影モードと第２の撮影モードとの間で撮影モードを切り替える切替手段と、前記第１の撮影モードでの撮影時の状況として予め定められた複数の状況設定項目のそれぞれに対してホワイトバランスを所定の値で設定するための第１の設定手段と、前記第１の撮影モードで撮影する画像の雰囲気として予め定められた複数の雰囲気設定項目のそれぞれに対して、複数の画像処理パラメータを所定の組み合わせで且つ所定の値で設定するための第２の設定手段と、前記第１の撮影モードで撮影を行う際に、前記複数の雰囲気設定項目及び前記複数の状況設定項目の中からそれぞれ１つの雰囲気設定項目及び１つの状況設定項目を選択する選択手段と、前記第１の撮影モードで撮影された画像の画像データを、前記画像の撮影に対して設定された前記１つの状況設定項目及び前記画像の画像処理条件として設定された前記１つの雰囲気設定項目と共に記憶する記憶手段と、少なくとも前記記憶手段から読み出した画像を表示する表示手段と、前記表示手段に表示する画像が前記第１の撮影モードで撮影された画像である場合に、前記画像の画像データと共に記憶されている前記１つの状況設定項目及び前記１つの雰囲気設定項目を、前記画像と共に前記表示手段に表示する制御手段と、を備えることを特徴とする。
【発明の効果】
【０００７】
本発明に係る撮像装置では、ユーザのレベルや設定モードに応じて設定方法を変更すると共に、設定された内容が反映された画像を表示する際の画像情報の表示項目を変更する。こうして、ユーザのレベルや設定モードに応じて設定方法が異なる場合に、撮影画像を表示する際の情報表示でユーザが設定した情報を表示することで、どのような設定で撮影したかが分かりやすい再生表示を行うことができる。
【図面の簡単な説明】
【０００８】
【図１】本発明の実施形態に係るデジタルカメラの全体構成を示すブロック図である。
【図２】図１のデジタルカメラでの撮影条件の設定方法を示すフローチャートである。
【図３】図１のデジタルカメラにおいて、明かり等の状況設定を行うための設定画面の例である。
【図４】図１のデジタルカメラにおいて、簡単モードで雰囲気設定を行うための設定画面の例である。
【図５】図１のデジタルカメラにおいて、詳細設定モードで雰囲気設定を行う際の設定画面の例である。
【図６】図１のデジタルカメラでの撮影時の制御フローを示すフローチャートである。
【図７】図１のデジタルカメラでの画像再生時の制御フローを示すフローチャートである。
【図８】図１のデジタルカメラにおいて、簡単モードで撮影された画像を表示部に表示した際の表示画面の例である。
【図９】図１のデジタルカメラにおいて、詳細設定モードで撮影された画像を表示部に表示した際の表示画面の例である。
【発明を実施するための形態】
【０００９】
以下に、本発明の実施の形態について添付図面を参照して詳細に説明する。ここでは、本発明に係る撮像装置として、所謂、一眼レフ方式のデジタルカメラを取り上げることとする。
【００１０】
＜デジタルカメラの全体構成＞
図１は、本発明の実施形態に係るデジタルカメラの全体構成を示すブロック図である。
【００１１】
デジタルカメラは、デジタルカメラ本体１００にレンズユニット３００が、レンズマウント３０６（レンズユニット３００側），１０６（デジタルカメラ本体１００）を介して取り付けられて、構成されている。レンズマウント１０６，３０６は、デジタルカメラ本体１００とレンズユニット３００とを機械的に結合させる。
【００１２】
デジタルカメラ本体１００は、光学像を電気信号に変換する撮像素子１４と、撮像素子１４への露光量を制御するためのシャッタ１２とを備えている。レンズユニット３００が備える撮影レンズ３１０に入射した光線は、一眼レフ方式によって、絞り３１２、レンズマウント３０６，１０６、ミラー１３０及びシャッタ１２を介して撮像素子１４へ導かれ、光学像として撮像素子１４上に結像する。
【００１３】
撮像素子１４から出力されるアナログ信号出力は、Ａ／Ｄ変換器１６によってデジタル信号に変換される。撮像素子１４、Ａ／Ｄ変換器１６及びＤ／Ａ変換器２６には、タイミング発生回路１８からクロック信号や制御信号が供給され、タイミング発生回路１８は、メモリ制御回路２２及びシステム制御回路５０により制御される。
【００１４】
Ａ／Ｄ変換器１６からのデータ或いはメモリ制御回路２２からのデータに対する所定の画素補間処理や色変換処理は、画像処理回路２０によって行われる。また、画像処理回路２０は、必要に応じて、撮影画像の画像データを用いて所定の演算処理を行い、得られた演算結果に基づいてシステム制御回路５０がシャッタ制御手段４０及び測距手段４２に対する制御を行う。この制御としては、ＴＴＬ（スルー・ザ・レンズ）方式のオートフォーカス（ＡＦ）処理、自動露出（ＡＥ）処理及びラッシュ調光（ＥＦフ）処理がある。更に画像処理回路２０は、撮影画像の画像データを用いて所定の演算処理を行い、得られた演算結果に基づいて、ＴＴＬ方式のオートホワイトバランス（ＡＷＢ）処理をも行う。
【００１５】
メモリ制御回路２２は、Ａ／Ｄ変換器１６、タイミング発生回路１８、画像処理回路２０、画像表示メモリ２４、Ｄ／Ａ変換器２６及び不図示のメモリ、圧縮・伸長回路を制御する。Ａ／Ｄ変換器１６のデータは、画像処理回路２０及びメモリ制御回路２２を介して或いは直接にメモリ制御回路２２を介して、画像表示メモリ２４に書き込まれる。画像表示メモリ２４に書き込まれた表示用の画像データは、Ｄ／Ａ変換器２６を介して、ＴＦＴ型ＬＣＤ等からなる表示部２８に表示される。なお、表示部２８を用いて撮影した画像データを逐次表示することで、電子ファインダやライブビュー機能が実現される。
【００１６】
システム制御回路５０の指示により、表示部２８に対して任意に表示をＯＮ／ＯＦＦすることができ、表示をＯＦＦにした場合には、デジタルカメラの電力消費を大幅に低減することができる。表示部２８には、操作部７０や再生スイッチ（不図示）の操作によって、再生画像を表示したり、表示している画像の情報を表示したりすることもできる。
【００１７】
ＡＥ（自動露出）処理は測光手段４６によって行われる。撮影レンズ３１０に入射した光線を一眼レフ方式によって、絞り３１２、レンズマウント３０６，１０６、ミラー１３０，１３２、不図示の測光用レンズを介して測光手段４６に入射させることにより、測光手段４６は、光学像として結像した画像の露出状態を測定する。測光手段４６からの測光情報に基づいて、シャッタ制御手段４０が、絞り３１２を制御する絞り制御手段３４０と連携しながら、シャッタ１２を制御する。
【００１８】
撮影レンズ３１０に入射した光線は、一眼レフ方式によって絞り３１２、レンズマウント３０６，１０６、ミラー１３０及び不図示の測距用サブミラーを介して、ＡＦ処理を行うための測距手段４２に入射する。これにより、測距手段４２は、光学像として結像された画像の合焦状態を測定することができる。
【００１９】
なお、システム制御回路５０が、撮像素子１４によって撮像した画像データを画像処理回路２０によって演算処理した結果に基づいて、シャッタ制御手段４０、絞り制御手段３４０及び測距制御手段３４２に対して制御を行うことで、ビデオＴＴＬ方式を用いた露出制御及びＡＦ制御を実現することができる。
【００２０】
撮影レンズ３１０に入射した光線は、一眼レフ方式によって、絞り３１２、レンズマウント３０６，１０６、及びミラー１３０，１３２を介して光学ファインダ１０４に導かれ、光学像として結像し、表示される。これにより、表示部２８による電子ファインダ機能を使用すること無しに、光学ファインダ１０４のみを用いて撮影を行うことが可能となる。光学ファインダ１０４内には、合焦表示、手振れ警告表示、フラッシュ充電表示、シャッタスピード表示、絞り値表示、及び露出補正表示等の各種情報が表示を表示する表示器が設けられている。
【００２１】
ミラー１３０，１３２は、撮影レンズ３１０に入射した光線を一眼レフ方式によって光学ファインダ１０４に導く。ミラー１３２は、クイックリターンミラーであってもよいし、ハーフミラーであってもよい。
【００２２】
デジタルカメラの全体制御は、ＣＰＵ等を備えるシステム制御回路５０により実行され、システム制御回路５０の動作用定数や変数、プログラム等はメモリ５２に格納されている。デジタルカメラ本体１００は、システム制御回路５０に対して各種の演算や動作を指示するための操作手段を備えている。操作手段は、具体的には、スイッチやダイアル、タッチパネル、視線検知によるポインティング、音声認識装置等の単数或いは複数の組み合わせで構成され、以下にその主要なものについて説明する。
【００２３】
シャッタスイッチＳＷ１＿６１は、シャッタボタン（不図示）の操作途中でＯＮとなり、ＡＦ処理、ＡＥ処理、ＡＷＢ処理及びＥＦ処理等の動作開始を指示する。シャッタスイッチ＿ＳＷ２は、シャッタボタン（不図示）の操作完了でＯＮとなり、現像処理の動作開始を指示する。具体的には、撮像素子１４から読み出した信号をＡ／Ｄ変換器１６及びメモリ制御回路２２を介して画像処理回路２０やメモリ制御回路２２で演算する一連の処理の動作開始を指示する。
【００２４】
明かり等状況設定ブロック６８（第１の設定手段）には、撮影時の状況である撮影時の明るさ（すなわち、撮影のための画像のホワイトバランス（ＷＢ））を定めた複数の状況設定項目が、ＷＢとは異なる表現で予め設定されている。明かり等状況設定ブロック６８から提供される複数の状況設定項目を選択肢として、その中から１つの状況設定項目を選択することで、その状況設定項目に関連付けられたＷＢがデジタルカメラ本体１００に設定される。
【００２５】
雰囲気設定ブロック６７（第２の設定手段）には、撮影する画像の雰囲気を定めた複数の雰囲気設定項目が設定されている。複数の雰囲気設定項目のそれぞれに対して、画像のコントラスト、シャープネス、色あい、色の濃さ、ＷＢシフト、明るさ等の画像処理パラメータを所定の組み合わせで予め設定されている。雰囲気設定ブロック６７から提供される複数の雰囲気設定項目を選択肢として、その中から１つの雰囲気設定項目を選択することで、その選択肢に関連付けられた画像処理パラメータが画像処理条件としてデジタルカメラ本体１００に設定される。
【００２６】
なお、各状況設定項目に対して設定されているＷＢの値と、各雰囲気設定項目に対して設定されているコントラスト等の各画像処理パラメータの組み合わせと値とは、メモリ５２内に記憶されている。また、雰囲気設定ブロック６７と明かり等状況設定ブロック６８は、後述する簡単モードで機能する。
【００２７】
画作り詳細設定ブロック６６（第３の設定手段）は、撮影のための画像のコントラスト、シャープネス、色あい、色の濃さ、ＷＢシフト、明るさ等の設定を個別に行う。画作り詳細設定ブロック６６で設定された内容がシステム制御回路５０に通知され、設定された画作りパラメータでの画像処理が可能になる。なお、画作り詳細設定ブロック６６は、後述する詳細設定モードで機能する。
【００２８】
モード切替スイッチ６９は、デジタルカメラが殆ど自動で撮影を行う第１の撮影モード（以下「簡単モード」という）と、ユーザがデジタルカメラの設定を詳細に設定できる第２の撮影モード（以下「詳細設定モード」という）とを切り替える。
【００２９】
操作部７０は、メニューボタン、セットボタン、メニュー移動ボタン（プラス（＋）ボタン，マイナス（−）ボタン）、再生画像移動ボタン（プラス（＋）ボタン，マイナス（−）ボタン）等の各種ボタンやタッチパネル等を備えている。操作部７０はまた、表示部２８のＯＮ／ＯＦＦを設定する画像表示ＯＮ／ＯＦＦスイッチ（不図示）を備えている。なお、プラス（＋）ボタン及びマイナス（−）ボタンの各機能は、回転ダイアルスイッチや十字スイッチ、８方向スイッチを備えることによっても実行可能であり、これにより、より軽快に数値や機能を選択することができるようになる。
【００３０】
デジタルカメラ本体１００に対するメモリカードやハードディスク等の記憶媒体２００の着脱は、コネクタ９２（デジタルカメラ本体１００側）とコネクタ２０６（記憶媒体２００側）を介して行われる。記憶媒体２００は、例えば、メモリカードやハードディスク等である。記憶媒体２００は、半導体メモリや磁気ディスク等から構成される記憶部２０２を有している。デジタルカメラ本体１００が備えるインタフェース９０と記憶媒体２００が備えるインタフェース２０４により、デジタルカメラ本体１００と記憶媒体２００との間の情報通信が可能となる。
【００３１】
本実施形態では、デジタルカメラ本体１００は、記憶媒体２００を取り付けるために１系統のインタフェース９０及びコネクタ９２を備えるとしているが、これに限られず、複数系統のインタフェース及びコネクタを備えた構造であってもよい。このとき、異なる規格のインタフェース及びコネクタを備える構成とすることも好ましい。インタフェース及びコネクタとしては、ＰＣＭＣＩＡカードやＣＦ（コンパクトフラッシュ(登録商標)）カード等の規格に準拠したものを用いることができる。
【００３２】
レンズユニット３００は、交換レンズタイプであり、レンズマウント３０６内には、コネクタ３２２等、レンズユニット３００とデジタルカメラ本体１００とを電気的に接続する各種機能が備えられている。
【００３３】
デジタルカメラ本体１００とレンズユニット３００とを、レンズマウント１０６，３０６を介して機械的に結合させると、デジタルカメラ本体１００側のコネクタ１２２とレンズユニット３００側のコネクタ３２２とが電気的に接続される。これにより、コネクタ１２２は、デジタルカメラ本体１００とレンズユニット３００との間で、制御信号や状態信号、データ信号等を通信する経路が確保される。コネクタ１２２は、レンズユニット３００において電気的に動作する部位に対して、所定値の電圧、電流を供給する機能を備えている。なお、コネクタ１２２には、電気通信のみならず、光通信や音声通信等が可能な構成としてもよい。
【００３４】
デジタルカメラ本体１００が備えるインタフェース１２０とレンズユニット３００が備えるインタフェース３２０により、デジタルカメラ本体１００とレンズユニット３００との間の情報通信が可能となる。デジタルカメラ本体１００は、レンズユニット３００がデジタルカメラ本体１００に装着されているか否かを検知するレンズ着脱検知手段（不図示）を、レンズマウント１０６及び／又はコネクタ１２２に備えている。
【００３５】
レンズユニット３００は、測光手段４６からの測光情報に基づいて、シャッタ１２を制御するシャッタ制御手段４０と連携しながら、絞り３１２を制御する絞り制御手段３４０を備えている。レンズユニット３００はまた、撮影レンズ３１０のフォーカシングを制御する測距制御手段３４２と、撮影レンズ３１０のズーミングを制御するズーム制御手段３４４とを備えている。
【００３６】
レンズユニット３００の全体制御は、レンズシステム制御回路３５０によって行われる。レンズシステム制御回路３５０は、動作用の定数や変数、プログラム等を記憶するメモリを備えている。レンズシステム制御回路３５０はまた、レンズユニット３００に固有の情報である識別情報や管理情報、開放絞り値や最小絞り値、焦点距離等の機能情報、現在や過去の各設定値等を保持する不揮発性メモリをも備えている。
【００３７】
＜デジタルカメラの制御方法＞
図２は、デジタルカメラでの撮影条件の設定方法を示すフローチャートである。以下に説明する各処理は、各種操作手段からの指示にしたがってシステム制御回路５０が所定のプログラムを実行し、デジタルカメラの各種構成要素の動作を制御することによって実現される。
【００３８】
最初に、システム制御回路５０は、モード切替スイッチ６９の状態を確認する（ステップＳ２０１）。モード切替スイッチ６９が、撮影設定をデジタルカメラが殆ど自動で行う簡単モードとなっている場合（Ｓ２０１で“ＹＥＳ”）、処理はステップＳ２０２に進められる。一方、簡単モードとなっていない場合、すなわち、ユーザが撮影条件を詳細に設定することができる詳細設定モードとなっている場合（Ｓ２０１で“ＮＯ”）、処理はステップＳ２０６に進められる。
【００３９】
ステップＳ２０２では、明かり等の状況設定を行うか否かを確認する。これらの設定を行う場合（Ｓ２０２で“ＹＥＳ”）、処理はステップＳ２０３に進められ、これらの設定を行わない場合（Ｓ２０２で“ＮＯ”）、処理はステップＳ２０４に進められる。ステップＳ２０３では、明かり等状況設定ブロック６８により提供される複数の状況設定項目の中から１つの状況設定項目を選択することによってＷＢの設定を行う。
【００４０】
図３は、ステップＳ２０３において明かり等の状況設定を行うための設定画面の例である。この設定画面は表示部２８に表示される。図５の設定画面では「ホワイトバランス」又は「ＷＢ」という表現はなされておらず、状況設定項目として誰にでもわかりやすい「日なた」、「日かげ」等の表現が用いられている。ここでは、ホワイトバランスの設定として「日なた」が選択されており、この「日なた」は、詳細設定モードでは、例えば、「太陽光」と表現しているものである。このように、簡単モードでは、ユーザが理解容易な表現によりＷＢを設定することができるようになっている。
【００４１】
ステップＳ２０４では、雰囲気設定を行うか否かを確認する。雰囲気設定を行う場合（Ｓ２０４で“ＹＥＳ”）、処理はステップＳ２０５に進められ、雰囲気設定を行わない場合（Ｓ２０４で“ＮＯ”）、処理はステップＳ２０７に進められる。ステップＳ２０５では、雰囲気設定ブロック６７により提供される複数の雰囲気設定項目の中から１つの雰囲気設定項目を選択することによって画像処理パラメータの設定を行う。
【００４２】
図４は、ステップＳ２０５において簡単モードで雰囲気設定を行うための設定画面の例である。図４には、雰囲気設定項目である「標準」や「暖かくやさしく」等が、選択肢として雰囲気設定ブロック６７の機能により表示部２８に表示されている。ステップＳ２０５で選択され、デジタルカメラに設定された雰囲気設定項目は、メモリ５２に記憶され（ステップＳ２０７）、撮影時には設定された雰囲気設定項目に対応に対応する各画像処理パラメータで、画像処理回路２０での画像処理が行われる。
【００４３】
ステップＳ２０１で詳細設定モードであると判定された場合の次のステップであるステップＳ２０６では、雰囲気設定の個別設定を行う。すなわち、ＷＢやコントラスト、シャープネス、色あい、色の濃さ、明るさ、ＷＢシフト等の画像処理パラメータの設定を個々にユーザが自由に行うことができるようになっている。図５は、詳細設定モードで雰囲気設定を行う際の設定画面の例であり、この設定画面も画作り詳細設定ブロック６６の機能により表示部２８に表示される。
【００４４】
ここでは、コントラスト、シャープネス、色あい、色の濃さ、明るさ、ＷＢシフトを個別に設定することができるようになっている。設定された内容はメモリ５２に保存され、撮影時には設定された条件で画像処理回路２０での画像処理が行われる。
【００４５】
図６は、デジタルカメラでの撮影時の制御フローを示すフローチャートである。最初に、シャッタスイッチＳＷ２＿６４が押下されたかが判定される（ステップＳ６０１）。ＳＷ２＿６４が押下された場合（Ｓ６０１で“ＹＥＳ”）、シャッタ制御手段４０によりシャッタ１２が駆動され、撮像素子１４から出力されるアナログ信号がＡ／Ｄ変換器１６でデジタル信号に変換され、メモリに蓄積される（ステップＳ６０２）。そして、デジタル信号は、設定されてメモリ５２に記憶されている画作りの設定にしたがって画像処理回路２０で画像処理される（ステップＳ６０３）。なお、画作りの設定とは、図２のステップＳ２０５又はステップＳ２０６で設定されたＷＢ、コントラスト、シャープネス、色あい、色の濃さ、明るさ、ＷＢシフト等の設定である。
【００４６】
続いて、画像処理された画像データは、メモリ制御回路２２やインタフェース９０等を通して、その画像データに係る画像がどのような設定で撮影されたかを示す情報（以下「撮影情報」という）と共に、記憶媒体２００に記憶される（ステップＳ６０４）。撮影情報は、例えば、画像データのヘッダ部分に書き込まれる。
【００４７】
図７は、デジタルカメラでの画像再生時の制御フローを示すフローチャートである。最初に、操作部７０の画像表示ＯＮ／ＯＦＦスイッチがＯＮになっているかを判定する（ステップＳ７０１）。画像表示ＯＮ／ＯＦＦスイッチがＯＮの場合（Ｓ７０１で“ＹＥＳ”）、記憶媒体２００から画像データを読み出し、メモリ制御回路２２を介して画像表示メモリ２４に配置し、Ｄ／Ａ変換器２６で変換を行って表示部２８に画像表示を行う（ステップＳ７０２）。画像表示ＯＮ／ＯＦＦスイッチがＯＦＦの場合（Ｓ７０１で“ＮＯ”）、画像表示ＯＮ／ＯＦＦスイッチがＯＮとなるまで待機する。
【００４８】
ステップＳ７０２の後、読み出した画像データのヘッダ部分に書かれている撮影情報から、その画像データに係る画像が簡単モードで撮影されたか否かを判定する（ステップＳ７０３）。簡単モードで撮影された場合（Ｓ７０３で“ＹＥＳ”）、画像データのヘッダに書かれている撮影情報から、簡単モードで設定可能な明かり等の状況設定、雰囲気設定の設定内容を読み出して、表示部２８に表示する（ステップＳ７０４）。
【００４９】
図８は、簡単モードで撮影された画像を表示部２８に表示した際の表示画面の例である。画像の下側にはステップＳ２０３で設定された明かり等の内容（本例では「日なた」）が表示され、ヒストグラムの下側にはステップＳ２０５で設定された雰囲気設定項目（本例では「くっきり鮮やかに」）が表示されている。
【００５０】
簡単モードで撮影されていない場合（Ｓ７０３で“ＮＯ”）、つまり詳細設定モードで撮影された場合にも、画像データのヘッダに書かれている撮影情報から、詳細設定モードで個別設定が可能な雰囲気設定に関する各画像処理パラメータの各設定内容を読み出して、表示部２８に表示する（ステップＳ７０５）。図９は、詳細設定モードで撮影された画像を表示部２８に表示した際の表示画面の例である。画像とヒストグラムの下側に、ステップＳ２０６で設定可能なＷＢ、コントラスト、シャープネス、色あい、色の濃さ、明るさ、ＷＢシフトの各設定値が、左から順に表示されている。
【００５１】
以上に説明した通り、本実施形態によれば、撮影画像を再生表示する際の情報表示では、ユーザが設定した情報が表示される。これにより、ユーザのレベルや設定モードに応じて撮影条件の設定方法が異なる場合に、どのような撮影条件設定で撮影したかがユーザに分かりやすい再生表示を提供することができる。
【００５２】
＜その他の実施形態＞
以上、本発明の実施形態について説明したが、本発明は上記実施形態に限られるものではなく、この発明の要旨を逸脱しない範囲の様々な形態も本発明に含まれる。例えば、システム制御回路５０の制御は１つのハードウェアが行ってもよいし、複数のハードウェアが処理を分担することで、デジタルカメラ全体の制御が行われるようにしてもよい。
【００５３】
上述した実施形態においては、本発明をデジタルカメラに適用した場合を例にして説明したが、これに限定されるものではない。本発明は、画像撮影に際して撮影条件を設定することが可能な各種機器、例えば、デジタルビデオカメラ、カメラ付き携帯電話端末、カメラ付きポータブルゲーム機等に適用可能である。また、記憶媒体２００に記憶された画像データに対応した画像再生が可能なソフトウェアを備えたパーソナルコンピュータやＰＤＡ、画像ビューワ、プリンタ装置のディスプレイ、デジタルフォトフレーム等にも適用可能である。
【００５４】
本発明は、以下の処理を実行することによっても実現される。即ち、上述した実施形態の機能を実現するソフトウェア（プログラム）をネットワーク又は各種記憶媒体を介して撮像装置に供給し、その撮像装置のコンピュータ（又はＣＰＵやＭＰＵ等）がプログラムコードを読み出して実行する処理である。この場合、そのプログラム及びそのプログラムを記憶した記憶媒体は本発明を構成することになる。
【符号の説明】
【００５５】
１４    撮像素子
２０    画像処理回路
２２    メモリ制御回路
２８    表示部
５０    システム制御回路
６６    画作り詳細設定ブロック
６７    雰囲気設定ブロック
６８    明かり等状況設定ブロック
６９    モード切替スイッチ
３５０    レンズシステム制御回路
【図１】
2012029055.tif 000003
【図２】
2012029055.tif 000004
【図３】
2012029055.tif 000005
【図４】
2012029055.tif 000006
【図５】
2012029055.tif 000007
【図６】
2012029055.tif 000008
【図７】
2012029055.tif 000009
【図８】
2012029055.tif 000010
【図９】
2012029055.tif 000011